【手続補正書】
【提出日】平成17年3月1日(2005.3.1)
【手続補正１】
【補正対象書類名】明細書
【補正対象項目名】特許請求の範囲
【補正方法】変更
【補正の内容】
【特許請求の範囲】
【請求項１】
一画素分の領域が入射光を透過させる光透過領域と入射光を反射させる光反射領域とに分割されている第１の基板と、液晶層を挟んで該第１の基板に対向する対向基板と、を備えた液晶表示装置の製造方法であって、該第１の基板の該液晶層側表面における第１の下地膜が形成された第１の領域及び該第１の下地膜より反射率が低い第２の下地膜が形成された第２の領域上に、表面凹凸を持つ光反射板が設けられており、該方法は、
該第１の基板上に、該第１の領域と該第２の領域とを覆うように感光性樹脂層を形成する工程と、
遮光マスクを用いて、該第１の領域における露光量が該第２の領域における露光量より低くなるように該感光性樹脂層を露光することによって、該第１の領域及び該第２の領域に該感光性樹脂層による凹凸を形成する工程と、
該感光性樹脂層の上に、該凹凸が反映されるように該光反射板を形成する工程と、を包含する液晶表示装置の製造方法。
【請求項２】
一画素分の領域が入射光を透過させる光透過領域と入射光を反射させる光反射領域とに分割されている第１の基板と、液晶層を挟んで該第１の基板に対向する対向基板と、を備えた液晶表示装置の製造方法であって、該第１の基板の該液晶層側表面における第１の領域及び第２の領域上に、表面凹凸を持つ光反射板が設けられており、該方法は、
該第１の基板上に、該第１の領域と該第２の領域とを覆うように感光性樹脂層を形成することによって、該感光性樹脂層の該第１の領域における厚さが該第２の領域における厚さより小さくなるときに、
遮光マスクを用いて、該第１の領域における露光量が該第２の領域における露光量より低くなるように該感光性樹脂層を露光することによって、該第１の領域及び該第２の領域に該感光性樹脂層による凹凸を形成する工程と、
該感光性樹脂層の上に、該凹凸が反映されるように該光反射板を形成する工程と、を包含する液晶表示装置の製造方法。
【請求項３】
一画素分の領域が入射光を透過させる光透過領域と入射光を反射させる光反射領域とに分割されている第１の基板と、液晶層を挟んで該第１の基板に対向する対向基板と、を備えた液晶表示装置の製造方法であって、
該第１の基板の該液晶層側表面における第１の領域及び該第１の領域より反射率が低い第２の領域に感光性樹脂層を形成する工程と、
複数の円形パターンを有するとともに該第１の領域における該円形パターンの直径が該第２の領域における該円形パターンの直径よりも小さい遮光マスクを用いて該感光性樹脂層を露光し、該第１の領域及び該第２の領域に該感光性樹脂層による凹凸を形成する工程と、
該感光性樹脂層の該液晶層側に該凹凸が反映されるように該光反射板を形成する工程と、を包含する液晶表示装置の製造方法。
【請求項４】
前記円形パターンは遮光部である請求項３に記載の液晶表示装置の製造方法。
【請求項５】
前記露光は、前記第１の領域及び前記第２の領域に対して同じ照度で行う請求項３または請求項４に記載の液晶表示装置の製造方法。
【手続補正２】
【補正対象書類名】明細書
【補正対象項目名】００２５
【補正方法】変更
【補正の内容】
【００２５】
本発明は、上記の事情に鑑みてなされたものであり、その目的とするところは、良好な反射特性を有する反射板を備えた透過反射両用型液晶表示装置及び反射型液晶表示装置、ならびにそれらの製造方法を提供することにある。
【手続補正３】
【補正対象書類名】明細書
【補正対象項目名】００２６
【補正方法】変更
【補正の内容】
【００２６】
【課題を解決するための手段】
本発明による液晶表示装置の製造方法は、一画素分の領域が入射光を透過させる光透過領域と入射光を反射させる光反射領域とに分割されている第１の基板と、液晶層を挟んで該第１の基板に対向する対向基板と、を備えた液晶表示装置の製造方法であって、該第１の基板の該液晶層側表面における第１の下地膜が形成された第１の領域及び該第１の下地膜より反射率が低い第２の下地膜が形成された第２の領域上に、表面凹凸を持つ光反射板が設けられており、該方法は、該第１の基板上に、該第１の領域と該第２の領域とを覆うように感光性樹脂層を形成する工程と、遮光マスクを用いて、該第１の領域における露光量が該第２の領域における露光量より低くなるように該感光性樹脂層を露光することによって、該第１の領域及び該第２の領域に該感光性樹脂層による凹凸を形成する工程と、該感光性樹脂層の上に、該凹凸が反映されるように該光反射板を形成する工程と、を包含しており、そのことにより上記目的が達成される。
【手続補正４】
【補正対象書類名】明細書
【補正対象項目名】００２７
【補正方法】変更
【補正の内容】
【００２７】
また、本発明による液晶表示装置の製造方法は、一画素分の領域が入射光を透過させる光透過領域と入射光を反射させる光反射領域とに分割されている第１の基板と、液晶層を挟んで該第１の基板に対向する対向基板と、を備えた液晶表示装置の製造方法であって、該第１の基板の該液晶層側表面における第１の領域及び第２の領域上に、表面凹凸を持つ光反射板が設けられており、該方法は、該第１の基板上に、該第１の領域と該第２の領域とを覆うように感光性樹脂層を形成することによって、該感光性樹脂層の該第１の領域における厚さが該第２の領域における厚さより小さくなるときに、遮光マスクを用いて、該第１の領域における露光量が該第２の領域における露光量より低くなるように該感光性樹脂層を露光することによって、該第１の領域及び該第２の領域に該感光性樹脂層による凹凸を形成する工程と、該感光性樹脂層の上に、該凹凸が反映されるように該光反射板を形成する工程と、を包含しており、そのことにより上記目的が達成される。
【手続補正５】
【補正対象書類名】明細書
【補正対象項目名】００２８
【補正方法】変更
【補正の内容】
【００２８】
また、本発明による液晶表示装置の製造方法は、一画素分の領域が入射光を透過させる光透過領域と入射光を反射させる光反射領域とに分割されている第１の基板と、液晶層を挟んで該第１の基板に対向する対向基板と、を備えた液晶表示装置の製造方法であって、該第１の基板の該液晶層側表面における第１の領域及び該第１の領域より反射率が低い第２の領域に感光性樹脂層を形成する工程と、複数の円形パターンを有するとともに該第１の領域における該円形パターンの直径が該第２の領域における該円形パターンの直径よりも小さい遮光マスクを用いて該感光性樹脂層を露光し、該第１の領域及び該第２の領域に該感光性樹脂層による凹凸を形成する工程と、該感光性樹脂層の該液晶層側に該凹凸が反映されるように該光反射板を形成する工程と、を包含しており、そのことにより上記目的が達成される。
【手続補正６】
【補正対象書類名】明細書
【補正対象項目名】００２９
【補正方法】変更
【補正の内容】
【００２９】
ある実施形態では、前記円形パターンは遮光部である。
【手続補正７】
【補正対象書類名】明細書
【補正対象項目名】００３０
【補正方法】変更
【補正の内容】
【００３０】
ある実施形態では、前記露光は、前記第１の領域及び前記第２の領域に対して同じ照度で行う。
【手続補正８】
【補正対象書類名】明細書
【補正対象項目名】００３１
【補正方法】削除
【補正の内容】
【手続補正９】
【補正対象書類名】明細書
【補正対象項目名】００３２
【補正方法】削除
【補正の内容】
【手続補正１０】
【補正対象書類名】明細書
【補正対象項目名】００３３
【補正方法】削除
【補正の内容】
【手続補正１１】
【補正対象書類名】明細書
【補正対象項目名】００３４
【補正方法】削除
【補正の内容】
【手続補正１２】
【補正対象書類名】明細書
【補正対象項目名】００３５
【補正方法】削除
【補正の内容】
【手続補正１３】
【補正対象書類名】明細書
【補正対象項目名】００３６
【補正方法】削除
【補正の内容】
【手続補正１４】
【補正対象書類名】明細書
【補正対象項目名】００３７
【補正方法】削除
【補正の内容】
【手続補正１５】
【補正対象書類名】明細書
【補正対象項目名】００３８
【補正方法】削除
【補正の内容】
【手続補正１６】
【補正対象書類名】明細書
【補正対象項目名】００３９
【補正方法】削除
【補正の内容】
【手続補正１７】
【補正対象書類名】明細書
【補正対象項目名】０１１６
【補正方法】変更
【補正の内容】
【０１１６】
【発明の効果】
本発明によれば反射板の凹凸を形成するための感光性樹脂の下地膜の光反射特性が不均一であり又は下地膜に表面段差がある場合でも、反射特性の良好な透過反射両用型液晶表示装置及び反射型液晶表示装置を得ることが可能となる。